(57)【特許請求の範囲】
【請求項１】
通水性濾過性シート材料からなり、上端部に開口部を有する袋本体と、
薄板状材料からなり、袋本体の対向する２面の外表面に設けられた掛止部材と、薄板状材料からなり、掛止部材の外周部において袋本体の外表面に貼着された補強片
からなるドリップバッグであって
掛止部材が、
袋本体の外表面に貼着されている舌片部と、
舌片部の外周部にあり、舌片部の下端と連続し、袋本体から引き起こし可能に形成されているアーム部と、
アーム部の外周部にあり、アーム部の上端中央部と連続している周縁部からなり、
周縁部が、該周縁部の上部中央部の両側に、アーム部の上端から切り離されて水平方向に延びた引っ掛け部を有し、周縁部の引っ掛け部とアーム部の上端両側部が切り込み線で切り離されていることを特徴とするドリップバッグ。
【請求項２】
周縁部の引っ掛け部と上部中央部との間に折れ線が形成され、周縁部の下部において、前記折れ線の延長線上に折れ線が形成されている請求項１記載のドリップバッグ。
【請求項３】
補強片が袋本体の開口部に沿って帯状に設けられ、その帯状部分に、その帯状部分をコ字状に折るための折れ線が形成されている請求項１記載のドリップバッグ。
【請求項４】
掛止部材と補強片が一枚の薄板状材料の打ち抜きにより形成されている請求項１記載のドリップバッグ。
【請求項５】
請求項１〜４のいずれかに記載のドリップバッグにコーヒー粉が充填され、袋本体の上端が閉じられているコーヒードリップバッグ。
【請求項６】
袋本体の上端部にミシン目が施され、開口容易となっている請求項５記載のコーヒードリップバッグ。
【発明の詳細な説明】
技術分野
本発明は、カップ等の容器の上部に掛止することにより容易にドリップ式コーヒーを入れられるようにするドリップバッグに関する。
背景技術
従来より、手軽に本格的なコーヒーを楽しむことを可能とするコーヒーの入れ方として、ペーパードリップ方式が広く普及している。このペーパードリップ方式では、通常、数人分（数杯分）のコーヒーが一度に抽出される。
一方、近年、一人暮らしをする者が多くなり、また、核家族化や出生率の低下等により一家族の構成人数も少なくなっている。そのため、従来の数杯分のコーヒーを抽出することが基本とされているペーパードリップ方式に代えて、一杯分のコーヒーの抽出を手軽に行えるようにすることを目的とした、使い捨てのワンドリップコーヒー（以下、ドリップバッグと称する）が種々の製品形態で市場に出回っている。
中でも、簡略な構成を有するものとしては、コーヒー粉を入れた通水性濾過性シートからなる袋本体と、その袋本体をカップに掛止させるために、袋本体の側面に貼着された紙製等の掛止部材とからなるドリップバッグがある。このドリップバッグは、形成材料の省資源化を図ることができ、低コストに製造することができる。また、製品のコンパクト化が可能となる。
しかしながら、本来のペーパードリップ方式と異なり、コーヒー抽出時にドリッパーがカップ内でコーヒー液に浸るので、コーヒーの風味に不満を持たれる場合がある。また、コーヒー抽出後にドリッパーを片づける際、ドリッパーは熱いコーヒー液の中に浸っているので、注意が必要となる。
これに対して、本発明者は、本来のペーパードリップ方式でいれるコーヒーの美味しさを得ることができ、簡略な構成を有し、かつカップへのセットが極めて容易で、カップへのセット後の形状も安定しており、コーヒー抽出後の廃棄も容易かつ安全なドリップバッグとして、特定形状の掛止部材を有するドリップバッグを提案している（特許第３１６６１５１号公報）。
第４図Ａはこのドリップバッグ１にコーヒー粉を充填し、その上端の開口部を閉じ、上端部にミシン目を設けたコーヒードリップバッグ１０の平面図であり、第４図Ｂ及びＣは、その使用状態の説明図である。
このドリップバッグ１は、袋本体２と、袋本体２の対向する２面の外表面に設けられた掛止部材３と、掛止部材３の外周部に設けられた補強片９からなっている。
掛止部材３は、紙、プラスチックシート等の薄板状材料に切込線を入れることにより形成されており、周縁部４とアーム部５と舌片部６からなり、舌片部６が袋本体２の外表面に貼着され（図中、破線ｐで囲んだ部分が貼着部位）、舌片部６の下端とアーム部５の下部が連続し、アーム部５の上端と周縁部４の上部とが連続している。
コーヒードリップバッグ１０の使用時には、ミシン目７に沿って袋本体２の上端部を切除することにより開口し、周縁部４を矢印Ａのように引き起こし（第４図Ｂ）、カップ３０の径に合わせて周縁部４をさらに引き起こし、それをカップ側壁３１にかける（第４図Ｃ）。
これにより、袋本体２は、アーム部５によって対向する２面から矢印Ｂ方向に互いに反対方向に引っ張られ、開口部８が大きく広げられた状態でカップ３０の中央上部に吊されることとなる。そして、補強片９が、袋本体２を構成する表裏のシートが撓んで開口部８が閉ざされることを防止する。また、周縁部４がカップ側壁３１の外面を矢印Ｃ方向に押さえつける。このため、コーヒードリップバッグ１０は極めて安定した状体でカップ３０の上部に固定されることとなる。
こうして、コーヒードリップバッグ１０を、カップ３０に極めて安定した状態に簡単にセットした後は、開口部８から矢印のように注湯するだけで容易に美味しいコーヒーを得ることができる。またコーヒー抽出後のコーヒードリップバッグ１０の廃棄も容易に行うことができる。
しかしながら、上述のコーヒードリップバッグ１０によれば、カップ３０の開口部の壁厚が薄い場合には、第５図Ａに示すように、カップ３０の開口部の壁３２を周縁部４とアーム部５とで確実に挟むことができるが、第５図Ｂに示すように、カップ３０の開口部の壁３２が厚い場合には、その壁３２を周縁部４とアーム部５とでしっかりと挟むことができず、矢印のように掛止部材３がカップ３０から外れやすいという問題があった。
本発明は、このような問題点を解決しようとするものであり、簡略な構成で、かつ、本来のペーパードリップ方式でいれるコーヒーの美味しさを得られるようにするドリップバッグにおいて、カップの開口部の壁が厚い場合でも、極めて容易にかつ確実にカップにセットできるようにし、また、カップへセットした後のドリップバッグの形状をさらに安定させることを目的とする。
発明の開示
本発明者らは、通水性濾過性シートからなる袋本体と、薄板状材料からなる掛止部材とからなるドリップバッグにおいて、掛止部材を特定形状とすることにより、掛止部材をカップにかけた場合に、掛止部材の周縁部に、カップの開口部の壁に引っ掛かる部分を形成することができ、これによりカップの開口部の壁が厚い場合でも安定的にドリップバッグをカップにセットできることを見出した。
即ち、本発明は、通水性濾過性シート材料からなり、上端部に開口部を有する袋本体と、
薄板状材料からなり、袋本体の対向する２面の外表面に設けられた掛止部材と、薄板状材料からなり、掛止部材の外周部において袋本体の外表面に貼着された補強片
からなるドリップバッグであって
掛止部材が、
袋本体の外表面に貼着されている舌片部と、
舌片部の外周部にあり、舌片部の下端と連続し、袋本体から引き起こし可能に形成されているアーム部と、
アーム部の外周部にあり、アーム部の上端中央部と連続している周縁部からなり、
周縁部が、該周縁部の上部中央部の両側に、アーム部の上端から切り離されて水平方向に延びた引っ掛け部を有することを特徴とするドリップバッグを提供する。
また、本発明は、このドリップバッグにコーヒー粉が充填され、袋本体の上端が閉じられているコーヒードリップバッグを提供する。
発明を実施するための最良の形態
以下、本発明のドリップバッグ及びドリップバッグにコーヒーを充填したコーヒードリップバッグを、図面を参照しつつ詳細に説明する。なお、各図中、同一符号は同一又は同等の構成要素を表している。
第１図Ａは、本発明のコーヒードリップバッグの一形態の平面図であり、第１図Ｂ、Ｃは、それぞれその使用状態の説明図である。
このコーヒードリップバッグ１０Ａは、本発明の一形態のドリップバッグ１Ａにコーヒー粉を充填し、その上端の開口部を閉じ、さらに上端部にミシン目１７を設けたものである。
ドリップバッグ１Ａは、通水性濾過性シート材料からなる袋本体１２と、袋本体１２の対向する２面の外表面に設けられた掛止部材１３と、掛止部材の外周部において袋本体の外表面に貼着された補強片１９からなっている。
袋本体１２は、対向する表裏２つの矩形面１２ａ、１２ｂを有している。このような袋本体１２は、例えば、一枚の矩形シートを二つ折りにし、その折山を矩形面１２ａ、１２ｂの下辺１２ｐとし、矩形面１２ａ、１２ｂの両側辺１２ｑ、１２ｒを接着し、上端部１２ｓを開口部として残すことにより形成することができる。
袋本体１２を形成する通水性濾過性シート材料としては、所定量のコーヒー粉を充填し、注湯した場合にコーヒーの浸出が可能であるものを種々使用することができる。例えば、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等の紙類を使用することができる。また、通水性濾過性シート材料としては、１層目がポリエステル、２層目がレギュラーポリエステルと低融点ポリエステルとの混抄紙、３層目がポリプロピレンの極細繊維からなるメルトブロー不織布からなる３層構造のシート材料が、味、香り、風味、抽出時間の点で好ましい。
一方、掛止部材１３は、袋本体１２をカップ３０にかけるために、袋本体１２の表裏の矩形面１２ａ、１２ｂの外表面にそれぞれ設けられている。この掛止部材１３は、紙、プラスチックシート等の薄板状材料から形成されている。
掛止部材１３は、舌片部１６と、舌片部１６の外周部にあるアーム部１５と、アーム部１５の外周部にあってこの掛止部材１３の周縁をなす周縁部１４からなっている。ここで、舌片部１６は、破線ｐで囲んだ領域において袋本体１２の外表面に貼着されている。アーム部１５は舌片部１６の下端と連続し、袋本体１２から引き起こし可能に形成されている。また、周縁部１４は、アーム部１５の上端中央部と連続している。
このドリップバッグ１Ａにおいては、特に、周縁部１４が、この周縁部１４の上部中央部の両側に、切り込み線Ｌ１でアーム部１５の上端から切り離されて水平方向に延びた引っ掛け部１４ａを有する点が特徴となっている。さらに、この引っ掛け部１４ａと周縁部１４の上部中央部１４ｂとの間に折れ線Ｌ２が形成され、周縁部１４の下部にも前記折れ線Ｌ２の延長線上に折れ線Ｌ３が形成されている。
また、補強片１９は、掛止部材１３の上方と両側方において掛止部材１３と当接する位置にあり、袋本体１２の外表面に貼着されている。補強片１９をこのように掛止部材１３に当接する位置に形成すると、一枚の薄板状材料の打ち抜きにより、容易に、かつ薄板状材料の無駄を抑えて低コストに、掛止部材１３と補強片１９とを同時に形成できるので好ましい。
掛止部材１３の上方に位置する補強片１９、即ち、袋本体１２の開口部１８に沿って設けられている補強片１９の帯状部分１９ａには、その帯状部分１９ａをコ字状に折るための折れ線Ｌ４が形成されている。
補強片１９の大きさについては特に限定はないが、コーヒードリップバッグ１０Ａをカップ３０へかけた場合に（第１図Ｃ参照）、小さすぎると袋本体１２の形状の安定性が低下するので、例えば、袋本体１２の高さＨ１が７０〜１００ｍｍ、幅Ｗ１が６５〜８５ｍｍである場合に、掛止部材１３の高さＨ２を３５〜８５ｍｍ、幅Ｗ２を３５〜７５ｍｍ程度とすることが好ましい。
掛止部材１３の袋本体１２上での貼着位置は、袋本体１２に対する掛止部材１３の大きさにもよるが、下すぎると袋本体１２の安定性が低下する。反対に上方によせるとコーヒードリップバッグ１０Ａをカップ３０へかけた場合に、袋本体１２の下部が抽出したコーヒー液に浸り、消費者の嗜好によってはコーヒーの風味に不満を持たれる場合がある。そこで、掛止部材１３の袋本体１２上での貼着位置は、当該商品のターゲットとする消費者の嗜好等に応じて適宜定めるが、通常は、掛止部材１３の下辺１３ｐと袋本体１２の下辺１２ｐとの距離ｄが１０〜２５ｍｍ程度となるようにすることが好ましい。
このコーヒードリップバッグ１０Ａを使用してコーヒーを抽出する方法としては、まず、ミシン目１７にそって袋本体１２の上端部を切除することにより袋本体１２を開口し、第１図Ｂに示したように、周縁部１４を矢印Ａのように引き起こす。次に第１図Ｃに示したように、カップ３０の開口部の径に合わせてさらに周縁部１４を引き起こし、周縁部１４をカップ側壁３１にかけ、さらに周縁部１４を折れ線Ｌ２、Ｌ３で折り曲げる。こうして、コーヒードリップバッグ１０Ａをカップ３０にセットした後、袋本体１２の開口部１８から注湯する。
このようにコーヒードリップバッグ１０Ａをカップ３０にセットすることにより、周縁部１４の引っ掛け部１４ａがカップ３０の開口部の壁３２に載るように引っ掛かり、掛止部材１３がカップ３０に極めて安定に掛止される。このとき、袋本体１２は、アーム部１５によって対向する２面から矢印Ｂ方向に、互いに反対方向に引っ張られ、開口部１８が大きく広げられる。また、この開口形状は補強片１９によって良好に維持され、袋本体１２の表裏の矩形面１２ａ、１２ｂが撓んで開口部１８が閉ざされることが防止される。特に、袋本体１２の開口部１８に沿って設けられている補強片の帯状部分１９ａを、折れ線Ｌ４で折り曲げ、その帯状部分１９ａをコ字状にすることにより、第２図Ａに示すように、カップ３０の開口部の径が小さい場合でも袋本体１２の開口部１８を広げた状態とすることができる。
これに対して、第２図Ｂに示すように、補強片にこのような折れ線をもたない従来のコーヒードリップバッグ１０では、カップ３０の開口部の径が小さい場合には、袋本体２の開口部８の開きが狭くなる。
このように、このコーヒードリップバッグ１０Ａによれば、カップ３０の開口部の壁が厚い場合でも肉薄の場合でも、極めて安定した状態に簡単にコーヒードリップバッグ１０Ａをカップ３０にセットすることができる。また、カップ３０の開口部の径の大小によらず、袋本体１２の開口部１８が大きく開口した状態で、コーヒードリップバッグ１０Ａをカップ３０にセットすることができる。したがって、コーヒー抽出時の注湯が容易となる。
さらに、掛止部材１３を袋本体１２の比較的下方に貼着して、コーヒー抽出後に袋本体１２が抽出したコーヒー液の液面上にくるようにすると、本来のペーパードリップ方式と同様の美味しいコーヒーをいれることが可能となり、また、コーヒー抽出後のコーヒードリップバッグ１０Ａの廃棄がより容易となり、やけどの危険も生じない。
なお、以上の説明では、コーヒードリップバッグ１０Ａをミシン目１７で開口した後、コーヒードリップバッグ１０Ａをカップ３０にセットする例を示したが、本発明のコーヒードリップバッグ１０Ａの使用方法はこれに限られず、コーヒードリップバッグ１０Ａをカップ３０にセットした後、コーヒードリップバッグ１０Ａを開口してもよい。
本発明において、掛止部材の形態は、種々の態様をとることができる。
例えば、第３図Ａに示すコーヒードリップバッグ１０Ｂのように、周縁部１４の上部中央部の両側に、アーム部１５の上端から切り離されて水平方向に延びた引っ掛け部１４ａを形成するために、前述の切込線Ｌ１に代えて、円形の切込線Ｌ５を、周縁部１４とアーム部１５とを区切る切り込み線Ｌ６の端部に設けてもよい。
第３図Ｂに示すように、このコーヒードリップバッグ１０Ｂの周縁部１４を引き起こし、第３図Ｃに示すように掛止部材１３をカップ３０にかけると、周縁部１４の上部中央部の両側に孔２１が形成され、この孔２１の上方の周縁部１４が引っ掛け部１４ａとして機能する。したがって、カップ３０の開口部の壁３２が厚い場合でも、コーヒードリップバッグ１０Ｂを安定した状態でカップ３０にセットすることができる。
この他、本発明のコーヒードリップバッグ１０Ａ、１０Ｂの袋本体１２の上端部のミシン目１７は、この部分の開口を容易にするために設けられているが、ミシン目１７に代えて、この部分を容易に剥離することができる程度に熱接着によりシールしてもよい。
補強片１９の形成位置や形状も上述の例に限られないが、袋本体１２の開口状態を安定させるため、少なくとも袋本体１２の開口部１８に沿って帯状に設けることが好ましい。また、カップの開口部の径が小さい場合でも、袋本体の開口部の開きが狭くならないようにするため、袋本体１２の開口部１８に沿って設けた帯状部分には、帯状部分をコ字状に折るための折れ線を設けることが好ましい。産業上の利用可能性
本発明のドリップバッグ、あるいはそれにコーヒー粉を充填したコーヒードリップバッグは、カップの開口部の壁厚が肉薄〜肉厚のどのような厚さであっても、カップへのセットが極めて容易で、セット後の形状も安定している。また、カップの開口径の大小によらず、袋本体の開口部を大きく開口させることができ、注湯が容易となる。
さらに、消費者の嗜好等に応じて、カップへセットした状態で、袋本体の下端がカップの上方に位置するように掛止部材を袋本体に貼着すると、コーヒーの抽出後も、袋本体が抽出したコーヒー液に浸ることはない。したがって、本来のペーパードリップ方式と同様の美味しいコーヒーをいれることが可能となる。また、これによりコーヒー抽出後の廃棄が、より容易かつ安全となる。
【図面の簡単な説明】
第１図Ａは、本発明のコーヒードリップバッグの平面図、第１図Ｂ、Ｃはそれぞれその使用状態の説明図である。
第２図Ａ、Ｂは、本発明のコーヒードリップバッグと従来のコーヒードリップバッグの使用時の開口状態を対比する説明図である。
第３図Ａは、本発明のコーヒードリップバッグの異なる態様の平面図、第３図Ｂ、Ｃはそれぞれその使用状態の説明図である。
第４図Ａは、従来のコーヒードリップバッグの平面図、第４図Ｂ、Ｃはそれぞれその使用状態の説明図である。
第５図Ａ、Ｂは、従来のコーヒードリップバッグの問題点の説明図である。
【図１Ａ】
0003979386.tif 000002
【図１Ｂ】
0003979386.tif 000003
【図１Ｃ】
0003979386.tif 000004
【図２Ａ】
0003979386.tif 000005
【図２Ｂ】
0003979386.tif 000006
【図３Ａ】
0003979386.tif 000007
【図３Ｂ】
0003979386.tif 000008
【図３Ｃ】
0003979386.tif 000009
【図４Ａ】
0003979386.tif 000010
【図４Ｂ】
0003979386.tif 000011
【図４Ｃ】
0003979386.tif 000012
【図５Ａ】
0003979386.tif 000013
【図５Ｂ】
0003979386.tif 000014